(57)【要約】【課題】  まとまりのある複数の色を選択することや一色に対して統一感のある色を選択することなど、複数色を調和の取れた配色にすることが容易で、一枚のカラーサンプルに表示された個々の色やカラーサンプル相互間に関連性を持たせることで、複数の色が表示されたカラーサンプル，それらを集めたカラーサンプル帳自体の配色が滑らかで、しなやかな配列となり、希望する色を適確で、簡単に選択することができるカラーサンプル及びカラーサンプル帳を提供する。【解決手段】  複数の色を表示したカラーサンプル１１であって、その複数の色の明度が異なり、その明度が３．０〜９．５の範囲であり、その複数の色の中で、最低明度と最高明度との明度差が０．３〜６．０の範囲のものである。  又、その複数の色の彩度が異なり、その彩度が１５以下であり、その複数の色の中で、最低彩度と最高彩度との彩度差が０．１〜１０．０の範囲のものである。【選択図】    図１
2005258099.tif 000002
【特許請求の範囲】
【請求項１】
複数の色を表示したカラーサンプルであって、
その複数の色の明度が異なり、その明度が３．０〜９．５の範囲であり、
その複数の色の中で、最低明度と最高明度との明度差が０．３〜６．０の範囲であることを特徴とするカラーサンプル。
【請求項２】
複数の色を表示したカラーサンプルであって、
その複数の色の彩度が異なり、その彩度が１５以下であり、
その複数の色の中で、最低彩度と最高彩度との彩度差が０．１〜１０．０の範囲であることを特徴とするカラーサンプル。
【請求項３】
前記複数の色の色相がそれぞれ異なることを特徴とする請求項１又は請求項２に記載のカラーサンプル。
【請求項４】
前記カラーサンプルが同一面内に複数色の色が表示されていることを特徴とする請求項１ないし請求項３のいずれかに記載のカラーサンプル。
【請求項５】
請求項４に記載のカラーサンプルを複数枚集め、順序を決めて構成されるカラーサンプル帳にあって、特定した一枚のカラーサンプルとその前後のいずれかにあるカラーサンプルを比較したとき、それぞれのカラーサンプルが有する複数の色の明度及び／又は彩度の範囲が互いに異なり、且つ、その範囲が重複したものとなったものを含むことを特徴とするカラーサンプル帳。
【請求項６】
前記カラーサンプルの特定した一枚のカラーサンプルの明度及び／又は彩度の範囲がその前後のいずれかにあるカラーサンプルの明度及び／又は彩度の範囲と異なり、且つ、その明度及び／又は彩度の範囲が重複した関係の複数枚のカラーサンプルをカラーサンプル群とし、そのカラーサンプル群を複数集め、束ねたことを特徴とする請求項５に記載のカラーサンプル帳。
【発明の詳細な説明】
【技術分野】
【０００１】
この発明は、色を選択するためのものであって、建築物などの構造物の塗装に用いられる塗料について、その塗料から得られる色を示し、それらの色から希望する色を選択するためのカラーサンプル及びカラーサンプル帳に関するものである。
【背景技術】
【０００２】
従来から複数の色を表示した色見本カードやその色見本カードを複数枚組合わせた色見本帳を用い、色の提案や色の選択を行い、色を決定することが多い。この場合、決定された色は、塗料などにより被塗布物に対して色を付与することが多く、その色見本カードや色見本帳には、塗料などが乾燥硬化した後に発揮する色が表示されている。
【０００３】
この複数の色を表示した色見本カードの多くは、その色見本カードに表示されている複数の色がマンセル値などにより数値化，記号化した色をその数値，記号を元に順番に配列して表示したもので、それらの色見本カードを更に順番に配列して表示した見本帳が多く存在している。
このマンセル値は、色を色相，明度，彩度に区分し、それぞれを数値化し、その３つの数値を組合わせて表したものである。
【０００４】
【非特許文献１】（社）日本塗料工業会  塗料用標準見本帳  この見本帳は、色見本帳の代表的なもので、多くの場合に用いられるものであり、色相順に色を配置し、明度，彩度の順番に変化させた色を順番に並べ表したものである。
【発明の開示】
【発明が解決しようとする課題】
【０００５】
ところが、このような色見本カード，色見本帳では、一枚の色見本カードに数値順に並べた複数色を表示していることが多く、そのため、それら複数色の違いをはっきりさせなければならなく、明度，彩度に差を設けることや色相の差を大きくするなどで対応されていることが多い。又、色見本帳を構成する色見本カード相互間であっても同様なことが行われていることが多い。
【０００６】
それらによりを構成する色見本カード相互間に関連性が少なく、色の調和を考慮していないことから色見本全体の色の統一感が薄く、色見本帳自体の配色に滑らかさやしなやかさが欠けるものであり、希望する色を適確に選択することが困難な場合がある。又、色の選択作業が単調で、機械的なることがものである。
また、このような色見本カード，色見本帳などを用いた場合では、まとまりのある二以上の色を選択すること，ある一色に対して統一感のある色を選択することなど、二以上の色を調和の取れた配色にすることが難しいことがある。
【０００７】
特に、建築物などの構造物では、統一感，まとまり感といった調和のある色を選択することが必要な場合が多くある。調和の取れた色を選択できない場合では、その構造物の外観に関して、構造物の外観上、色彩の違和感が生じ、周りの自然環境，建築物などとの協調し難いことがある。又、室内においては、色彩の違和感から落ち着きがなくなることがある。
つまり、従来のものでは、単色としての色を表現したものであり、それにより複数の色を組合わせて、調和の取れたものではなかった。
【０００８】
この発明は、上記のような従来技術に存在する問題点に着目してなされたものである。その目的とするところは、まとまりのある複数の色を選択することや一色に対して統一感のある色を選択することなど、複数色を調和の取れた配色にすることが容易で、一枚のカラーサンプルに表示された個々の色やカラーサンプル相互間に関連性を持たせることで、複数の色が表示されたカラーサンプル，それらを集めたカラーサンプル帳自体の配色が滑らかで、しなやかな配列となり、希望する色を適確で、簡単に選択することができるカラーサンプル及びカラーサンプル帳を提供することにある。
【課題を解決するための手段】
【０００９】
上記の目的を達成するために、請求項１に記載の発明のカラーサンプルは、複数の色を表示したカラーサンプルであって、その複数の色の明度が異なり、その明度が３．０〜９．５の範囲であり、その複数の色の中で、最低明度と最高明度との明度差が０．３〜６．０の範囲であることを要旨とする。
【００１０】
請求項２に記載の発明のカラーサンプルは、請求項１に記載の発明において、複数の色を表示したカラーサンプルであって、その複数の色の彩度が異なり、その彩度が１５以下であり、その複数の色の中で、最低彩度と最高彩度との彩度差が０．１〜１０．０の範囲であることを要旨とする。
【００１１】
請求項３に記載の発明のカラーサンプルは、請求項１又は請求項２に記載の発明において、前記複数の色の色相がそれぞれ異なることを要旨とする。
【００１２】
請求項４に記載の発明のカラーサンプルは、請求項１ないし請求項３のいずれかに記載の発明において、前記カラーサンプルが同一面内に複数色の色が表示されていることを要旨とする。
【００１３】
請求項５に記載の発明のカラーサンプル帳は、請求項４に記載のカラーサンプルを複数枚集め、順序を決めて構成されるカラーサンプル帳にあって、特定した一枚のカラーサンプルとその前後のいずれかにあるカラーサンプルを比較したとき、それぞれのカラーサンプルが有する複数の色の明度及び／又は彩度の範囲が互いに異なり、且つ、その範囲が重複したものとなったものを含むことを要旨とする。
【００１４】
請求項６に記載の発明のカラーサンプル帳は、請求項５に記載の発明において、前記カラーサンプルの特定した一枚のカラーサンプルの明度及び／又は彩度の範囲がその前後のいずれかにあるカラーサンプルの明度及び／又は彩度の範囲と異なり、且つ、その明度及び／又は彩度の範囲が重複した関係の複数枚のカラーサンプルをカラーサンプル群とし、そのカラーサンプル群を複数集め、束ねたことを要旨とする。
【発明の効果】
【００１５】
請求項１又は請求項２に記載の発明のカラーサンプルによれば、まとまりのある複数の色を選択することや一色に対して統一感のある色を選択することなど、複数色を調和の取れた配色にすることが容易で、一枚のカラーサンプルに表示された個々の色やカラーサンプル相互間に関連性を持たせることで、複数の色が表示されたカラーサンプル，それらを集めたカラーサンプル帳自体の配色が滑らかで、しなやかな配列となり、希望する色を適確で、簡単に選択することができるものである。
【００１６】
請求項３に記載の発明のカラーサンプルによれば、請求項１又は請求項２に記載の発明の効果に加え、多くの色を表示することができる。
【００１７】
請求項４に記載の発明のカラーサンプルによれば、請求項１ないし請求項３のいずれかに記載の発明の効果に加え、少ないスペースに多くの色を表示することができ、又、その色毎の比較が容易なものとなる。
【００１８】
請求項５に記載の発明のカラーサンプル帳によれば、カラーサンプル間で色相が大きく異なる場合であってもまとまりよく調和の取れた配色になり、逆に、色相が近い場合であっては、個々の色を十分に区別して認識することができ、調和の取れた配色のものである。
【００１９】
請求項６に記載の発明のカラーサンプルによれば、請求項５に記載の発明の効果に加え、まとまりのある独立したカラーサンプル群により構成されたカラーサンプル帳であることで、色が整理された状態で、多くの色が表示されものであり、その多彩なカラーサンプル帳から適切にイメージに合う色の選択がより容易なものとなる。
【発明を実施するための最良の形態】
【００２０】
以下、この発明の実施形態を詳細に説明する。
この発明でのカラーサンプルは、複数の色を表示したカラーサンプルであって、その複数の色の明度が異なり、その明度が３．０〜９．５の範囲であり、その複数の色の中で、最低明度と最高明度との明度差が０．３〜６．０の範囲である。
【００２１】
一般的にカラーサンプルやカラーサンプル帳は、選択した色と得られた色が同じであるかを確認することや実際の物体の色やその物体のに付与される予定の色の選択を行うことに用いるものである。
しかし、色の確認のみの場合では、複数の色が表示されているカラーサンプル帳を用いることなく、一色のみ表示されているカラーサンプルを用いれば済むことから、この発明のカラーサンプル，カラーサンプル帳は、複数色を表示しているものであることから、主に実際の物体の色やその物体に付与される予定の色の選択を行う場合に用いるものである。
【００２２】
このように色を選択する場合では、より多くの色が表示されているカラーサンプル帳を用いることで、十分に納得した色の選択を行うことができる。
この色の選択には、例えば、塗料などの流動性のある着色材が乾燥硬化した後に形成される塗膜，その塗膜により被覆される物体の色を選択などがあり、多く用いられ、特に経年で塗り替えられる住宅などの構造物の色選択に用いられる機会が多い。この構造物の外壁等の外部においての色選択では、その対象となる構造物の周辺に存在する構築物，自然物等の環境との調和を考慮する必要がある。又、内壁等の室内においての色選択では、その室内に存在する家具等の物品との調和を考慮する必要がある。
【００２３】
このような色を付与する物体とその物体の周りにあるものとの調和を考慮した場合の色選択において、この発明のカラーサンプル，カラーサンプル帳は、特に有効なものである。
このカラーサンプルには、複数の色が表示され、そのカラーサンプルの一例を図１に示す。この図１のカラーサンプル１１は、一枚のカラーサンプル１１に一列で三色の色がそれぞれ色表示部１２ａ〜色表示部１２ｃに表示されている。又、図２のカラーサンプル１１には、一枚のカラーサンプル１１に三列で十二色の色がそれぞれ色表示部１２ａ〜色表示部１２ｌに表示されている。
【００２４】
このカラーサンプル１１は、長方形などの矩形状のものが多く用いられる。このカラーサンプル１１にある複数の色の各色表示部１２の形状は、特に制限はないが、矩形状のものが好ましく、矩形状のカラーサンプル内に効率的に示すことができる。又、その各表示部１２の表示面積は、全て同じであってもよく、図４に示したカラーサンプル１１のように各色表示部１２の表示面積が異なったものであってもよく、この形態が好ましく用いられる。
【００２５】
色の印象は、その色と表示面積により与える影響が多いことがある。例えば、一つのカラーサンプル１１の中に淡色と濃色があり、この二つが同じ表示面積であった場合、濃色の面積の方が大きく感じることがある。この場合は、淡色を濃色に比べ大きく表示することになる。このように色の濃淡などの影響を少なくするために表示面積を変化させることがある。
【００２６】
図４のカラーサンプル１１では、五色が表示され、その五色は、表示面積が一番大きい色表示部１２ｃが最も薄い色であり、色表示部１２ｄ，１２ｅの表示面積が同じで一番小さく最も濃い色を表示したものである。色表示部１２ａ，１２ｂは、そのカラーサンプル１１内では、中間的な濃さの色を表示したものである。
この色表示部１２の配列は、特に制限されるものではないが、一つのカラーサンプル１１内にある複数の色の中で目立ち難い淡色を目立つような位置に配色することが好ましい。この目立つような位置には、カラーサンプル１１の形状などにもよるが中央部が最も目立つことが多く、好ましく配置される。
【００２７】
これらは、同一面内に複数色の色が表示されていることから、少ないスペースに多くの色を表示することができ、その色毎の比較が容易なものである。更に、この形態のカラーサンプル１１は、それらを複数枚束ねることで、容易に後述するカラーサンプル帳を得ることができる。
また、図３のように立体的に一つのカラーサンプル１１に複数の色を表示することも可能である。このカラーサンプル１１は、立方体であることから六色の色をそれぞれ色表示部１２ａ〜１２ｆに表示することができる。
【００２８】
このカラーサンプル１１に表示された複数の色は、それぞれ明度，彩度が異なるものであり、そのため一つのカラーサンプルにそれぞれの範囲が形成されることになる。この範囲が明度では、３．０〜９．５の範囲であり、その複数の色の中で、最低明度と最高明度との明度差が０．３〜６．０の範囲であり、彩度では、１５以下であり、その複数の色の中で、最低彩度と最高彩度との彩度差が０．１〜１０．０の範囲である。
【００２９】
このような範囲をそれぞれ持つことで、離れた色相の色であっても、見た目に近い色に感じることができることで、広い色相範囲を持つカラーサンプル１２であってもまとまりよく調和の取れた配色することができるものである。また、狭い色相範囲を持つカラーサンプル１２である場合であっては、個々の色を十分に区別して認識することができ、調和の取れた配色のものである。
【００３０】
これにより、まとまりのある複数の色を選択することや一色に対して統一感のある色を選択することなど、複数色を調和の取れた配色にすることが容易で、一枚のカラーサンプルに表示された個々の色やカラーサンプル相互間に関連性を持たせることで、複数の色が表示されたカラーサンプル，それらを集めたカラーサンプル帳自体の配色が滑らかで、しなやかな配列となり、希望する色を適確で、簡単に選択することができるカラーサンプルを得ることができる。
【００３１】
この明度は、明るさの度合いをいうものであり、明度が低い場合は、黒っぽい色のものを指し、高いものは、白っぽい色を指す。つまり、明度は、色の相対的な明暗に関する色の属性を数値化したもので、理想的な黒を０，理想的な白を１０として、その間を感覚的に等歩度に見えるように１００等分して１／１０の位までで表すことがある。
【００３２】
また、彩度は、色の鮮やかさを表すものであり、彩度が低い場合は、黒っぽいくすんだ色みの少ない色のものを指し、大きいものは、鮮やかな色みの強い色のものを指し、色付の強さの程度が等しい明度をもつ無彩色からの隔たりで表した色の属性であり、無彩色を０とし、色付きの強さの程度が感覚的に等歩度に見えるように分割し、１から，２，３・・・と可能な限り表すことが一般的であり、近年では、より細かく１／１０の位までで表現されることが多い。
【００３３】
この明度が３．０〜９．５の範囲であることで、白，黒の無彩色及びそれに近いもの、特に、黒っぽい色を避け、表示されることである。又、彩度については、極端に鮮やかな色を避けて、表示されている。これは、このカラーサンプル１１が住宅などの構造物の塗装に際して用いられることが多く、上記記載のように構造物の周囲の環境，物品との調和を必要とする場合が多いことから、極端な色使い好まれないものである。
【００３４】
この上記範囲内のように白黒の無彩色，それに近い色，極端に鮮やかな色など調和し難い色を避けることで、構造物の外壁等の外部では、構造物の周辺に存在する構築物，自然物等の環境との調和の取れた、又、内壁等の室内では、家具等の物品との調和が取れた色を選択することが容易なものとなる。
また、一つのカラーサンプル１１にある複数の色の最低明度と最高明度との明度差が０．３〜６．０の範囲，最低彩度と最高彩度との彩度差が０．１〜１０．０の範囲であることで、そのカラーサンプル１２の色相が比較的離れている場合であっても、まとまった色に認識することができ、又、色相が比較的近い場合では、個々の色を十分に区別することが可能である。
【００３５】
さらに、明度と彩度の概念を合わせた色調により色の印象を表すことがある。この色調は、明度と彩度とが変化することにより色の調子が変化することであり、色の濃さや明るさに大きく影響するものであり、それぞれ数値により表すことにより表現されるものである。
また、カラーサンプル１１にある複数の色の色相がそれぞれ異なることが好ましい。これにより多くの色を表示することができる。
【００３６】
この色相は、色の属性の一つであり、明度，彩度と共に色を構成するもので、赤、青、黄などの色みの違いをいうものである。この色みのない色のことを無彩色といい、白、黒、灰色などがあり、赤、青、黄など色みのあるもののことを有彩色といい、色相を有する。
この色相は、図５に示された色相環を用いて表すことがある。この色相環は、赤（５Ｒ），橙（５ＹＲ），黄（５Ｙ），黄緑（５ＧＹ），緑（５Ｇ），青緑（５ＢＧ），青（５Ｂ），藍（５ＰＢ），紫（５Ｐ），赤紫（５ＲＰ）の代表的な１０色を順に時計回りに、等間隔で円の周囲に配置し、表示したものであり、それぞれの色を数字とアルファベットとの組み合わせで表示し、その代表的な色の間を更に４分割し、細かく色相を表示し、色相全体を４０分割した色相環を図６に示す。
【００３７】
この色相環は、赤の中心を５Ｒとし、時計回り方向にある橙の中心である５ＹＲに向かって、５Ｒ→７．５Ｒ→１０Ｒ→２．５ＹＲ→５ＹＲと赤色が時計回り方向に進むとだんだん橙色に近づくことを表したもので、他の色に関しても同様なもので、更に、７．５ＹＲ→１０ＹＲと続き、一周するものである。
この図６に示した４０分割の色相環により色相の用いられることが多く、他に色相環全体を１００分割したものもあり、近年、その色相環をより細かく表すことも多くなりつつある。
【００３８】
より細かくした表し方は、例えば、７．８Ｒ，５．５Ｒ，０．２Ｒなどといったようにその数値を１／１０の位まで表す（１０００分割の色相環）ことや場合によっては、０．０４ＧＹなどといったように、その数値を１／１００の位まで表す（１００００分割の色相環）ことがある。このように細かく表示することで、無数に存在する色相をより詳細に表現することが可能である。
【００３９】
このように色相環は、赤から黄，緑，青，紫，そして、また赤に戻るといった色の変化を表したものである。これがマンセル表色系の色相表示であり、この色相及び彩度，明度を組合わせて色を数値表示したものがマンセル値（マンセル記号）である。
この色の表示としてマンセル記号を用いた場合、色相明度／彩度（○○△××／◇◇）の順に表示し、○×◇の部分には、それぞれの数字が入り、△の部分には、大まかな色を表現した大文字アルファベットが入り、７．５ＹＲ４．８／３．０，５．０ＰＢ４．１／２．０，１０．０ＧＹ６．８／１．８などのように表して用いられるものである。
【００４０】
また、このような明度，彩度及び色相は、一般的なカラーサンプルには、マンセル記号として表示される場合が多いが、表示されていない場合には、測色計により測定が可能であり、この測色計の種類によっては、色相，明度，彩度を直接測定ができるものもあれば、他の色の測定値を換算することにより求めることも可能である。
【００４１】
このカラーサンプル１１は、上記のようなことにより構成されるものである。更に、このカラーサンプル１１を複数枚集めることで、カラーサンプル帳を得ることができる。このカラーサンプル帳は、複数枚のカラーサンプル１１を組合せ束ね、順序を決めたものであり、その束ね方として、バラバラの一枚単位のカラーサンプルをゴム，紐などで束ねたり、ケースに収めたりすることがある。多くの場合は、カラーサンプルの端部を留め具によって留めるなどの方法が取られる。
【００４２】
このカラーサンプルの端部を留め具によって留めたカラーサンプル帳の代表的なものを図７に示す。
この図７に示したカラーサンプル帳１３は、複数枚のカラーサンプル１１を鋲のような留め具１４を用いて束ねたものである。この留め具による留め位置が、カラーサンプルの端部中央であるが、端部中央に限らずカラーサンプルの隅角部であっても良い。
【００４３】
この図７に示したカラーサンプル帳１３は、図４に用い同一面内に複数色の色が表示されているカラーサンプル１１であり、好ましい形態のものである。
このカラーサンプル帳１３は、複数色が表示されたカラーサンプル１１を複数枚集めたもので、その複数枚のカラーサンプル１１相互間の関係は、明度が３．０〜９．５の範囲、及び／又は、彩度が１５以下であり、それぞれのカラーサンプル１１の明度及び／又は彩度の範囲が重複しながら異なった範囲のカラーサンプル群により構成されるものである。又、この一枚のカラーサンプル１１にある複数の色の中で、最低明度と最高明度との明度差が０．３〜６．０の範囲、及び／又は、最低彩度と最高彩度との彩度差が０．１〜１０．０の範囲である。
【００４４】
このようなカラーサンプル帳１３にすることで、カラーサンプル１１間で色相が大きく異なる場合であってもまとまりよく調和の取れた配色になり、逆に、色相が近い場合であっては、個々の色を十分に区別して認識することができ、調和の取れた配色のものである。
さらに、このカラーサンプル群を複数集め、束ねたカラーサンプル帳１３が好ましく、まとまりのある調和が取れた独立したカラーサンプル群により構成されたカラーサンプル帳１３であることで、色が整理された状態で、多くの色が表示されものであり、その多彩なカラーサンプル帳から適切にイメージに合う色の選択がより容易なものとなる。
【００４５】
次に、上記カラーサンプルについて、図７及び図８に示したカラーサンプル帳１３のカラーサンプル１１ａ〜１１ｃの三枚を用いて、より具体的に説明する。図８に示したカラーサンプル帳１３は、図７に示したカラーサンプル帳１３を広げた状態のものであり、カラーサンプル１１ａには、色表示部１２ａ〜１２ｅの五つの表示部にそれぞれ異なった色が表示され、カラーサンプル１１ｂには、色表示部１２ｆ〜１２ｊ，カラーサンプル１１ｃには、色表示部１２ｋ〜１２ｏとそれぞれに五つの表示部にそれぞれ異なった色が表示されたものである。
【００４６】
カラーサンプル１１ａ
（表示部）            （マンセル値）
色表示部１２ａ        ８．９ＹＲ８．０／３．４
色表示部１２ｂ        ０．１Ｙ  ８．９／１．７
色表示部１２ｃ        ０．３ＧＹ９．１／１．１
色表示部１２ｄ        ９．０ＹＲ６．７／４．５
色表示部１２ｅ        ７．９ＹＲ５．９／４．４
明度範囲：５．９〜９．１      明度差：３．２
彩度範囲：１．１〜４．５      彩度差：３．４
【００４７】
カラーサンプル１１ｂ
（表示部）            （マンセル値）
色表示部１２ｆ        ８．９ＹＲ８．２／３．１
色表示部１２ｇ        ８．２ＹＲ８．５／２．３
色表示部１２ｈ        ９．１ＹＲ８．８／１．８
色表示部１２ｉ        ６．９ＹＲ６．１／４．６
色表示部１２ｊ        ６．２ＹＲ５．３／３．２
明度範囲：５．３〜８．８      明度差：３．５
彩度範囲：１．８〜４．６      彩度差：２．８
【００４８】
カラーサンプル１１ｃ
（表示部）            （マンセル値）
色表示部１２ｋ      １０．０ＹＲ７．９／２．２
色表示部１２ｌ        １．３Ｙ  ８．４／１．８
色表示部１２ｍ        ２．８Ｙ  ９．０／１．１
色表示部１２ｎ        ８．１ＹＲ６．６／３．４
色表示部１２ｏ        ８．０ＹＲ５．８／２．８
明度範囲：５．８〜９．０      明度差：３．２
彩度範囲：１．１〜３．４      彩度差：２．３
【００４９】
これら三枚のカラーサンプル１１の表示されている色の明度は、それぞれ異なり、３．０〜９．５の範囲のものである。又、複数の色の中で、最低明度と最高明度との明度差が０．３〜６．０の範囲内のものでもある。
また、その彩度は、それぞれ異なり、その彩度が１５以下のものである。又、複数の色の中で、最低彩度と最高彩度との彩度差が０．１〜１０．０の範囲のものである。
【００５０】
これらカラーサンプル１１ａ〜１１ｃでは、それぞれ複数色を調和の取れた配色にすることができ、一枚のカラーサンプル１１に表示された個々の色に関連性を持たせることができ、このカラーサンプル１１の配色が滑らかで、しなやかな配列となり、希望する色を適確で、簡単に選択することができるものであった。
さらに、この三枚のカラーサンプル１１ａ〜１１ｃにある色相は、それぞれ異なるものである。それによって、多くの色が表現されたものである。
【００５１】
この三枚のカラーサンプル１１ａ〜１１ｃを一つのカラーサンプル群とした場合、これらのカラーサンプルの関係は、明度が３．０〜９．５の範囲、彩度が１５以下であり、それぞれのカラーサンプル１１の明度、彩度の範囲が重複しながら異なった範囲のもので、明度差が０．３〜６．０の範囲，彩度差が０．１〜１０．０の範囲内のものである。
【００５２】
そのため、まとまりのある複数の色を選択することや一色に対して統一感のある色を選択することなどが容易で、カラーサンプル相互間に関連性を持たせたものであることで、その配色が滑らかで、しなやかな配列となり、希望する色を適確で、簡単に選択することができるものを得ることができた。
【００５３】
次に、前記実施形態から把握できる技術的思想について以下に記載する。
（Ａ）  複数の色を表示したカラーサンプルであって、その複数の色の表示で淡色を濃色に比べ大きく表示することを特徴とする請求項１〜請求項４のいずれかに記載のカラーサンプル。
これにより、色の濃淡どの影響を少なくすることができる。
【００５４】
（Ｂ）一つのカラーサンプルにある複数の色の中で淡色をカラーサンプル中央部に配色することを特徴とする請求項１〜請求項４のいずれかに記載のカラーサンプル。
これにより、濃色に比べ目立ち難い色を目立たせることができる。
【図面の簡単な説明】
【００５５】
【図１】カラーサンプルの一例を示したもの。
【図２】カラーサンプルの一例を示したもの。
【図３】カラーサンプルの一例を示したもの。
【図４】カラーサンプルの一例を示したもの。
【図５】色相環を示したもの。
【図６】４０分割の色相環を示したもの。
【図７】カラーサンプル帳の代表的なものを示したもの。
【図８】図４のカラーサンプル帳の広げた状態を示したもの。
【符号の説明】
【００５６】
１１…カラーサンプル。１２…色表示部。１３…カラーサンプル帳。１４…留め具。
【図１】
2005258099.tif 000003
【図２】
2005258099.tif 000004
【図３】
2005258099.tif 000005
【図４】
2005258099.tif 000006
【図５】
2005258099.tif 000007
【図６】
2005258099.tif 000008
【図７】
2005258099.tif 000009
【図８】
2005258099.tif 000010